(57)【要約】【課題】近端漏話減衰量特性と伝搬遅延時間差特性をともに向上させた通信ケーブルを提供する。【解決手段】通信ケーブル７は、導体２の上に絶縁体３を被覆して構成した絶縁線心４を２本撚り合わせてなる対撚り線心１ａ，１ｂ，１ｃ，１ｄを有し、対撚り線心１ａを中心としてその周りに、他の３本の対撚り線心１ｂ，１ｃ，１ｄを略三角形の頂点の位置となるように配置して撚り合わせてなる。そして、これら４本の対撚り線心１ａ，１ｂ，１ｃ，１ｄのうち、対撚り線心１ａの撚りピッチを他の３本の対撚り線心１ｂ，１ｃ，１ｄの撚りピッチよりも小さくし、該他の３本の対撚り線心１ｂ，１ｃ，１ｄのそれぞれの撚りピッチを異なるものとした。【選択図】  図１
2004355990.tif 000002
【特許請求の範囲】
【請求項１】
導体の上に絶縁体を被覆して構成した絶縁線心を２本撚り合わせてなる対撚り線心を４本有する通信ケーブルにおいて、
前記４本の対撚り線心のうち、一の対撚り線心の撚りピッチを他の３本の対撚り線心の撚りピッチよりも小さくし、該他の３本の対撚り線心のそれぞれの撚りピッチを異なるものとし、
前記一の対撚り線心を中心としてその周りに、前記他の３本の対撚り線心を略三角形の頂点の位置となるように配置して撚り合わせた
ことを特徴とする通信ケーブル。
【請求項２】
前記一の対撚り線心の周りに配置した前記他の３本の対撚り線心の相互の間に介在を挿入したことを特徴とする請求項１に記載の通信ケーブル。
【発明の詳細な説明】
【０００１】
【発明の属する技術分野】
本発明は、導体の上に絶縁体を被覆して構成した絶縁線心を２本撚り合わせてなる対撚り線心を４本有する通信ケーブルに関する。
【０００２】
【従来の技術】
ＬＡＮ（ｌｏｃａｌ  ａｒｅａ  ｎｅｔｗｏｒｋ）の配線には、米国電子工業会／米国通信工業会で規格されたケーブルが用いられている。この規格では、ケーブルは複数種に分類されており、このうち、１００ＭＨｚまでの使用が可能なものは、カテゴリ５ケーブルとして規定されている。
【０００３】
かかるカテゴリ５に規定された通信ケーブルとして、導体の上に絶縁体を被覆して構成される絶縁線心を２本撚り合わせてなる対撚り線心を４本有し、各対撚り線心にあっては、前記規格で要求される主な特性項目である近端漏話減衰量特性を向上させるべく、対撚り線心毎に異なるピッチで絶縁線心を撚り合わせてなっている通信ケーブルが知られている（例えば、特許文献１参照。）。
【０００４】
かかる通信ケーブルについて、図２を参照してより具体的に説明する。図において、符号１０ａ，１０ｂ，１０ｃ，１０ｄは対撚り線心を示している。これら対撚り線心１０ａ，１０ｂ，１０ｃ，１０ｄは、導体２の上に絶縁体３を被覆して構成した絶縁線心４を２本撚り合わせてなっている。そして、対撚り線心を４本撚り合わせた上にシース６を被覆して通信ケーブル１１が構成されている。
【０００５】
前記各対撚り線心１０ａ，１０ｂ，１０ｃ，１０ｄは、近端漏話減衰量特性を向上させるべく、対撚り線心１０ａ，１０ｂ，１０ｃ，１０ｄ毎に異なるピッチで絶縁線心４を撚り合わせてなっている。
【０００６】
【特許文献１】
特開平９−１３９１２１号公報（第３−４頁、第１図）
【０００７】
【発明が解決しようとする課題】
近端漏話減衰量特性は、各対撚り線心１０ａ，１０ｂ，１０ｃ，１０ｄのピッチ比（ある対撚り線心の撚りピッチと他の対撚り線心の撚りピッチとの比）が大きければ大きいほど向上する。しかし、各対撚り線心１０ａ，１０ｂ，１０ｃ，１０ｄのピッチ比を大きくすると、各対撚り線心１０ａ，１０ｂ，１０ｃ，１０ｄにおける絶縁線心４の長さの差が大きくなる。これにより、各対撚り線心１０ａ，１０ｂ，１０ｃ，１０ｄにおける伝搬遅延時間の差、すなわち伝搬遅延時間差が大きくなるおそれがある。したがって、全てのピッチ比を大きくすること、すなわち、ある１本の対撚り線心に対する他の３本のそれぞれの対撚り線心のピッチ比を全て大きくすることは、伝搬遅延時間差特性の観点から、事実上不可能である。このようなことから、上記のような構造の従来の通信ケーブル１１においては、近端漏話減衰量特性と伝搬遅延時間差特性をともに向上させることは困難であった。
【０００８】
本発明の目的は、近端漏話減衰量特性と伝搬遅延時間差特性をともに向上させた通信ケーブルを提供することにある。
【０００９】
【課題を解決するための手段】
上記目的を達成するために、請求項１に記載の発明は、導体の上に絶縁体を被覆して構成した絶縁線心を２本撚り合わせてなる対撚り線心を４本有する通信ケーブルにおいて、前記４本の対撚り線心のうち、一の対撚り線心の撚りピッチを他の３本の対撚り線心の撚りピッチよりも小さくし、該他の３本の対撚り線心のそれぞれの撚りピッチを異なるものとし、前記一の対撚り線心を中心としてその周りに、前記他の３本の対撚り線心を略三角形の頂点の位置となるように配置して撚り合わせたことを特徴とする。
【００１０】
このような請求項１に記載の本発明によれば、一の対撚り線心は、他の３本の対撚り線心に比べてその撚りピッチが小さく、したがって他の３本の対撚り線心とは異なる撚りピッチとなっているので、一の対撚り線心と他の３本の対撚り線心との近端漏話減衰量特性が向上する。また、前記他の３本の対撚り線心は、それぞれ略三角形の頂点の位置に配置されていることからこれら相互が離れた位置となり、なおかつ各対撚り線心の撚りピッチが異なっていることから、前記他の３本の対撚り線心相互間の近端漏話減衰量特性が向上する。したがって、各対撚り線心のピッチ比を全て大きくしなくても近端漏話減衰量特性を向上させることができる。
【００１１】
また、前記一の対撚り線心は、他の３本の対撚り線心に比べてその撚りピッチが小さい、すなわち、他の３本の対撚り線心は、一の対撚り線心よりも撚りピッチが大きいので、かかる他の３本の対撚り線心における絶縁線心の長さは、一の対撚り線心における絶縁線心の長さよりも短くなる。しかし、このような他の３本の対撚り線心を前記一の対撚り線心を中心としてその周りに集合撚りした場合、中心の一の対撚り線心よりも他の３本の対撚り線心の方がその長さが長くなり、したがってかかる他の３本の対撚り線心における絶縁線心の長さが長くなることから、一の対撚り線心における絶縁線心の長さと他の３本の対撚り線心における絶縁線心の長さの差が小さくなる。これにより、伝搬遅延時間差特性が向上する。
以上のことから、米国電子工業会／米国通信工業会のカテゴリー５で定められた電気特性規格を満足し、なおかつ近端漏話減衰量特性と伝搬遅延時間差特性をともに向上させることができる。
【００１２】
請求項２に記載の発明は、前記一の対撚り線心の周りに配置した前記他の３本の対撚り線心の相互の間に介在を挿入したことを特徴とする。
【００１３】
このような請求項２に記載の本発明によれば、前記他の３本の対撚り線心のそれぞれの位置を略三角形の頂点の位置に固定することができ、これら相互が離れたままの位置を保つことができる。
【００１４】
【発明の実施の形態】
以下、図面を参照して本発明に係る通信ケーブルの実施の形態の一例について説明する。
図１は本発明に係る通信ケーブルの実施の形態の一例を示す断面図である。
【００１５】
図において、符号１ａ，１ｂ，１ｃ，１ｄは対撚り線心を示している。対撚り線心１ａ，１ｂ，１ｃ，１ｄは、導体２の上に絶縁体３を被覆して構成した絶縁線心４を２本撚り合わせてなっている。
【００１６】
そして、かかる４本の対撚り線心１ａ，１ｂ，１ｃ，１ｄのうちの対撚り線心１ａ（請求項にいう一の対撚り線心に該当）を中心としてその周りに、他の３本の対撚り線心１ｂ，１ｃ，１ｄが、略三角形の頂点の位置となるように配置されて撚り合わせられている。このように略三角形の頂点の位置となるように配置された対撚り線心１ｂ，１ｃ，１ｄは、相互に所定の間隔が空いた状態で配置されている。
【００１７】
前記他の３本の対撚り線心１ｂ，１ｃ，１ｄの相互の間には介在５が挿入されている。介在５は、本例では断面円形でケーブル長手方向に長く形成され、紙、合成樹脂、ジュート等で形成されている。
【００１８】
そして、これら対撚り線心１ａ，１ｂ，１ｃ，１ｄ及び介在５の上からシース６が被覆されて本例の通信ケーブル７が構成されている。
【００１９】
このような構成の通信ケーブル７にあって、各対撚り線心１ａ，１ｂ，１ｃ，１ｄの撚りピッチは以下のように設定されている。なお、本明細書において、撚りピッチとは、２本の絶縁線心を撚り合わせるピッチをいう。
【００２０】
すなわち、対撚り線心１ａの撚りピッチは、その周りの他の３本の対撚り線心１ｂ，１ｃ，１ｄの撚りピッチよりも小さくなっている。このとき、対撚り線心１ａの撚りピッチと他の３本の対撚り線心１ｂ，１ｃ，１ｄそれぞれの撚りピッチとの比（ピッチ比）は、十分な近端漏話減衰量特性を有するようなものに設定される。
また、対撚り線心１ｂ，１ｃ，１ｄのそれぞれの撚りピッチは、異なるものとなっている。
【００２１】
以上のような本例の通信ケーブル７によれば、対撚り線心１ａは、他の３本の対撚り線心１ｂ，１ｃ，１ｄに比べてその撚りピッチが小さく、したがって対撚り線心１ｂ，１ｃ，１ｄとは異なる撚りピッチとなっており、しかも十分な近端漏話減衰量特性を有する撚りピッチとなっているので、対撚り線心１ａと他の３本の対撚り線心１ｂ，１ｃ，１ｄとの近端漏話減衰量特性が向上する。また、対撚り線心１ｂ，１ｃ，１ｄは、それぞれ略三角形の頂点の位置に配置されていることからこれら相互が離れた位置となり、なおかつ各対撚り線心１ｂ，１ｃ，１ｄの撚りピッチが異なっていることから、対撚り線心１ｂ，１ｃ，１ｄ相互間の近端漏話減衰量特性が向上する。したがって、各対撚り線心１ａ，１ｂ，１ｃ，１ｄのピッチ比を全て大きくしなくても近端漏話減衰量特性を向上させることができる。
【００２２】
また、対撚り線心１ａは、他の３本の対撚り線心１ｂ，１ｃ，１ｄに比べてその撚りピッチが小さい、すなわち、対撚り線心１ｂ，１ｃ，１ｄは、対撚り線心１ａよりも撚りピッチが大きいので、対撚り線心１ｂ，１ｃ，１ｄにおける絶縁線心４の長さは、対撚り線心１ａにおける絶縁線心４の長さよりも短くなる。しかし、このような対撚り線心１ｂ，１ｃ，１ｄを対撚り線心１ａを中心としてその周りに集合撚りした場合、中心の対撚り線心１ａよりも他の３本の対撚り線心１ｂ，１ｃ，１ｄの方がその長さが長くなり、したがってかかる他の３本の対撚り線心１ｂ，１ｃ，１ｄにおける絶縁線心４の長さが長くなることから、対撚り線心１ａにおける絶縁線心４の長さと他の３本の対撚り線心１ｂ，１ｃ，１ｄにおける絶縁線心４の長さの差が小さくなる。これにより、伝搬遅延時間差特性が向上する。
【００２３】
以上のような本例の通信ケーブル７によれば、米国電子工業会／米国通信工業会のカテゴリー５で定められた電気特性規格を満足し、なおかつ近端漏話減衰量特性と伝搬遅延時間差特性をともに向上させることができる。
【００２４】
また、対撚り線心１ｂ，１ｃ，１ｄの相互の間には、介在５が挿入されているので、それぞれの対撚り線心１ｂ，１ｃ，１ｄの位置を略三角形の頂点の位置に固定することができ、これら相互が離れたままの位置を保つことができる。
【００２５】
以下に、本例の通信ケーブル７と図２に示す従来の通信ケーブル１１における近端漏話減衰量及び伝搬遅延時間の測定結果をそれぞれ示す。なお、かかる測定は、対撚り線心１ａの撚りピッチが１１ｍｍ、対撚り線心１ｂの撚りピッチが１３ｍｍ、対撚り線心１ｃの撚りピッチが１５ｍｍ、対撚り線心１ｄの撚りピッチが１７ｍｍである通信ケーブル７と、対撚り線心１０ａの撚りピッチが１１ｍｍ、対撚り線心１０ｂの撚りピッチが１３ｍｍ、対撚り線心１０ｃの撚りピッチが１５ｍｍ、対撚り線心１０ｄの撚りピッチが１７ｍｍである従来の通信ケーブル１１について行った。
【００２６】
表１は近端漏話減衰量の測定結果、表２は伝搬遅延時間の測定結果を示している。
【００２７】
【表１】
2004355990.tif 000003
【表２】
2004355990.tif 000004
表１の結果から、本実施例の通信ケーブル７における近端漏話減衰量特性は、従来例のものよりも向上していることが分かる。特に、相互が離れた位置にある対撚り線心１ｂ，１ｃ，１ｄにおいて、顕著に近端漏話減衰量特性が向上している。
【００２８】
また、表２の結果から、最大の伝搬遅延時間と最小の伝搬遅延時間との差は小さくなっていることが分かる。すなわち、最小の撚りピッチとなっている対撚り線心１ａの伝搬遅延時間（最大の伝搬遅延時間）は、従来４５ｎｓｅｃ／１００ｍであったものが、本例では４４ｎｓｅｃ／１００ｍとなり、また、最大の撚りピッチとなっている対撚り線心１ｄの伝搬遅延時間（最小の伝搬遅延時間）は、従来３９ｎｓｅｃ／１００ｍであったものが、本例では４０ｎｓｅｃ／１００ｍとなっている。したがって、各対撚り線心１ａ，１ｂ，１ｃ，１ｄにおける伝搬遅延時間差のうち最大の伝搬遅延時間差、すなわち、最大の伝搬遅延時間と最小の伝搬遅延時間との差は６ｎｓｅｃから４ｎｓｅｃと小さくなっており、伝搬遅延時間差特性が向上している。
【００２９】
これら表１及び表２の結果から、本例の通信ケーブル７においては、近端漏話減衰量特性と伝搬遅延時間差特性をともに向上させることができるということが分かる。
【００３０】
なお、前記介在５は、対撚り線心１ｂ，１ｃ，１ｄの位置を固定するために、これら相互の間に挿入することが望ましいが、本発明においては、かかる介在５は、必ずしも挿入されていなくてもよい。
【００３１】
【発明の効果】
以上説明したように請求項１に記載の発明によれば、米国電子工業会／米国通信工業会のカテゴリー５で定められた電気特性規格を満足し、なおかつ近端漏話減衰量特性と伝搬遅延時間差特性をともに向上させることができる。
【００３２】
請求項２に記載の発明によれば、前記他の３本の対撚り線心のそれぞれの位置を略三角形の頂点の位置に固定することができ、これら相互が離れたままの位置を保つことができる。
【図面の簡単な説明】
【図１】本発明に係る通信ケーブルの実施の形態の一例を示す断面図。
【図２】従来の通信ケーブルの一例を示す断面図。
【符号の説明】
１ａ，１ｂ，１ｃ，１ｄ    対撚り線心
２      導体
３      絶縁体
４      絶縁線心
５      介在
６      シース
７      通信ケーブル
【図１】
2004355990.tif 000005
【図２】
2004355990.tif 000006